(57)【要約】【課題】ブッシングを略垂直方向に立てて保管することができるブッシング保管容器を提供する。【解決手段】下部碍管部３が電力機器内に挿入されて取り付けられるブッシング１を保管するブッシング保管容器１０は、内部に空間１８が形成された本体部１１及び上面蓋１２を有し、この上面蓋１２に、外部と内部空間１８とを連通する取付孔１４が形成されて構成され、このブッシング保管容器１０に対して、ブッシング１の下部碍管部３を外部から取付孔１４を介して内部空間１８内に挿入し、当該ブッシング１が上面蓋１２に対して略垂直方向に延びるように取り付けられる。【選択図】図６
2009214893.tif 000002
【特許請求の範囲】
【請求項１】
基端部が電力機器内に挿入されて取り付けられるブッシングを保管するブッシング保管容器であって、
内部に空間が形成された容器本体を有し、
前記容器本体の上面に、外部と前記空間とを連通する取付孔が形成され、
前記ブッシングの前記基端部を前記外部から前記取付孔を介して前記空間内に挿入し、当該ブッシングが前記上面に対して略垂直方向に延びるように取り付けられるブッシング保管容器。
【請求項２】
前記ブッシングが、前記基端部の上部に、外方に円盤状に突出する取付フランジ部を有し、当該取付フランジ部を前記電力機器の外周面に当接させた状態で、当該取付フランジ部に形成されたネジ挿入孔と、前記電力機器の前記外周面に形成された雌ネジ部とを位置整合させた状態で、当該ネジ挿入孔からボルトを挿入して前記雌ネジ部と螺合させることにより前記電力機器に固定するように構成されている場合、
前記容器本体の前記上面の前記取付孔の近傍に、当該取付孔に前記ブッシングが取り付けられたときに、前記取付フランジ部に形成された前記ネジ挿入孔と位置整合するように雌ネジ部が形成され、
前記ブッシングを取り付けるときに、前記ネジ挿入孔からボルトを挿入して前記雌ネジ部と螺合することにより前記ブッシングを前記容器本体に固定するように構成された請求項１に記載のブッシング保管容器。
【請求項３】
前記容器本体の前記空間内に、前記上面を下方から支持するリブが形成された請求項１または２に記載のブッシング保管容器。
【請求項４】
前記リブは、前記取付孔を囲むように形成された請求項３に記載のブッシング保管容器。
【請求項５】
前記リブは、平面視において格子状に設けられている請求項３または４に記載のブッシング保管容器。
【発明の詳細な説明】
【技術分野】
【０００１】
本発明は、変圧器等の電力機器に取り付けられるブッシングを保管するブッシング保管容器に関する。
【背景技術】
【０００２】
変圧器等の電力機器において、外部からの電線を内部に通す場合には、この電力機器の筐体と電線との絶縁を行う必要があり、ブッシングが用いられる。ブッシングは、磁器の内部を中空にした碍管を有し、この碍管の中空部に電線を貫通させて先端部で保持することにより、電力機器の筐体と電線との絶縁が行われるように構成されている（例えば、特許文献１参照）。このブッシングの碍管は、円筒状や三角錐状に形成されているため、通常は横に寝かせた状態で保管箱等に納められて保管される。
【特許文献１】特開平５−２１７７５６号公報
【発明の開示】
【発明が解決しようとする課題】
【０００３】
しかしながら、変電用の変圧器等に用いられるブッシングは、横に寝かせて保管すると、保管場所の面積を広く取る必要があり、保管コストが増加してしまうという課題があった。
【０００４】
本発明はこのような課題に鑑みてなされたものであり、ブッシングを略垂直方向に立てて保管することができるブッシング保管容器を提供することを目的とする。
【課題を解決するための手段】
【０００５】
前記課題を解決するために、本発明に係るブッシング保管容器は、基端部（例えば、実施形態における下部碍管部３）が電力機器内に挿入されて取り付けられるブッシングを保管するものであって、内部に空間が形成された容器本体（例えば、実施形態における本体部１１及び上面蓋１２）を有し、この容器本体の上面に、外部と内部空間とを連通する取付孔が形成され、ブッシングの基端部を外部から取付孔を介して内部空間内に挿入し、当該ブッシングが上面に対して略垂直方向に延びるように取り付けられる。
【０００６】
ここで、ブッシングが、基端部の上部に、外方に円盤状に突出する取付フランジ部を有し、当該取付フランジ部を電力機器の外周面に当接させた状態で、当該取付フランジ部に形成されたネジ挿入孔と、電力機器の外周面に形成された雌ネジ部とを位置整合させた状態で、当該ネジ挿入孔からボルトを挿入して雌ネジ部と螺合させることにより電力機器に固定するように構成されている場合、本発明に係るブッシング保管容器は、容器本体の上面の取付孔の近傍に、当該取付孔にブッシングが取り付けられたときに、取付フランジ部に形成されたネジ挿入孔と位置整合するように雌ネジ部が形成され、このようなブッシングを取り付けるときに、ネジ挿入孔からボルトを挿入して雌ネジ部と螺合することによりブッシングを容器本体に固定するように構成されることが好ましい。
【０００７】
また、このような本発明に係るブッシング保管容器は、容器本体の内部空間内に、上面を下方から支持するリブが形成されていることが好ましい。このとき、リブは、取付孔を囲むように形成されていることが好ましい。さらにリブは、平面視において格子状に設けられていることが好ましい。
【発明の効果】
【０００８】
本発明に係るブッシング保管容器を以上のように構成すると、このブッシング保管容器の上面に対して立てた状態でブッシングを取り付けることができるので、寝かせて保管するよりも設置スペースを小さくすることができる。また、電力機器に取り付けられているときにこの電力機器の内部に挿入されている基端部がブッシング保管容器の容器本体の内部空間に挿入され、この内部空間を密閉した状態でブッシングを保管することができるので、基端部や碍管の中空部が外部に曝露されることがない。
【０００９】
また、ブッシング保管容器にブッシングを取り付ける際には、このブッシングを電力機器に取り付けるのと同じ方法で取り付けることができるので、取り付け作業を容易に行うことができる。また、上面を支持するリブを設けることにより、この上面に取り付けられたブッシングの荷重を安定して支えることができる。特に、取付孔を囲むようにリブを設けることが好ましく、さらに、格子状にリブを設けるとより確実にブッシングが取り付けられた上面を支持することができる。
【発明を実施するための最良の形態】
【００１０】
以下、本発明の好ましい実施形態について図面を参照して説明する。まず、図１を用いて本発明に係るブッシング保管容器に取り付けられるブッシングについて説明する。ブッシング１は、磁器を円筒状に形成して内部に中空が設けられた碍管２と、この碍管２の上部に取り付けられた頭部金具６とから構成されており、碍管２はさらに、電力機器に設けられた取付孔からこの電力機器の内部に挿入される下部碍管部３と、この下部碍管部３から上方に伸びる上部碍管部４とから構成され、これらの上部及び下部碍管部３，４の間に円盤状に外方に突出する取付フランジ部５が設けられている。碍管２の中空部（図示せず）には、リード線（図示せず）が挿入されており、このリード線の一端が頭部金具６と接続されて固定され、他端が、碍管２の下端部から電力機器内に延びるように構成されており、頭部金具６に接続された高圧ケーブルと電力機器（の内部に設けられた装置）とをリード線を介して接続するものである。このブッシング１は、電力機器の筐体の外周面に形成された取付孔から下部碍管部３が挿入され、取付フランジ部５が外周面に当接した状態で、この取付フランジ部５に形成されたネジ挿入孔５ａからボルトを挿入して電力機器の筐体に設けられた雌ネジ部と螺合させることにより、電力機器の外周面に固定される。
【００１１】
それではこのようなブッシング１を保管するためのブッシング保管容器１０の構成について、図２〜図５を用いて説明する。このブッシング保管容器１０は、上面が開口した箱状の本体部１１と、当該本体部１１の上面開口部を覆うように取り付けられた上面蓋１２と、本体部１１の底面に取り付けられ当該本体部１１の底面を接地面から離間させる脚部１３とから構成される。この上面蓋１２には板厚方向に貫通するように形成された複数の取付孔１４が形成されている。そのため、この取付孔１４は、本体部１１及び上面蓋１２により囲まれて形成された内部空間１８と外部とを連通している。なお、本実施の形態において、本体部１１は直方体の箱状に形成され、上面蓋１２は略正方形状に形成されており、この上面蓋１２には、縦３列、横３列に等間隔に並んだ９個の取付孔１４が設けられている。
【００１２】
上面蓋１２に形成された各々の取付孔１４の周りには、この取付孔１４を囲むように複数の雌ネジ部１５が形成されている。この雌ネジ部１５は、上面蓋１２の上面側から円筒状に開口し、内周面に雌ネジ溝が形成されており、取付孔１４にブッシング１の下部碍管部３が挿入されて取り付けられたときに、取付フランジ部５に形成されたネジ挿入孔５ａと位置整合するように配置されている。また、この取付孔１４にブッシング１が取り付けられていないときは、図４に示すような円盤状の蓋板２０が取り付けられ、内部空間１８を外部から遮断するように構成されている。この蓋板２０にも、雌ネジ部１５と位置整合するようにネジ挿入孔２１が形成されており、図３に示すように蓋板２０は、上面蓋１２に対してボルト３０で固定される。
【００１３】
本体部１１の上端開口部には、この本体部１１の向かい合う内壁を繋ぐリブ１６（１６ａ，１６ｂ）が設けられている。このリブ１６は、本体部１１の開口部を補強するとともに、上面蓋１２を下方から支持するように構成されており、上面蓋１２に取り付けられたブッシング１の荷重を支えることができる。そのため、図５に示すように、このリブ１６を前後方向に延びるリブ１６ａと左右方向に延びるリブ１６ｂとを格子状に配置し、平面視において、この格子の開口部に上述の取付孔１４が位置するように配置することが好ましい。なお、図２等に示すように、本体部１１の内側の四隅に、この本体部１１を構成する隣り合う側板を繋ぐ補強板１７を取り付けることにより、本体部１１をより堅牢なものとすることができる。
【００１４】
図６に、このブッシング保管容器１０にブッシング１を取り付けた状態を示す。このように、ブッシング１を、電力機器に取り付けるのと同じ状態で下部碍管部３を内部空間１８に挿入して上面蓋１２に立てた状態でこのブッシング保管容器１０に取り付けることができるので、ブッシング１を寝かせて保管するよりも設置スペースを小さくすることができる。また、電力機器に取り付けられているときにこの電力機器の内部に挿入されている基端部（下部碍管部３）がブッシング保管容器１０の容器本体１１の内部空間１８に挿入され、この内部空間１８を密閉した状態でブッシング１を保管することができるので、下部碍管部３やこの碍管２に形成された中空部が外部に曝露されることがない。
【００１５】
また、本実施の形態に示すように、上面蓋１１に複数の取付孔１４を形成することにより、立てた状態の複数のブッシング１を整列させて保管することができるので、設置スペースをより有効活用することができる。なお、ブッシング保管容器１０にブッシング１を取り付ける際には、このブッシング１を電力機器に取り付けるのと同じ方法（取付フランジ部５に形成されたネジ挿入孔５ａからボルトを挿入して雌ネジ部１５と螺合させる方法）で取り付けることができるので、取り付け作業を容易に行うことができる。
【図面の簡単な説明】
【００１６】
【図１】ブッシングの構成を示す側面図である。
【図２】本発明に係るブッシング保管容器の側面図である。
【図３】上記ブッシング保管容器の平面図である。
【図４】上記ブッシング保管容器の取付孔に取り付けられる蓋板の斜視図である。
【図５】上記ブッシング保管容器において上面蓋を取り外した状態の平面図である。
【図６】上記ブッシング保管容器にブッシングを取り付けた状態の斜視図である。
【符号の説明】
【００１７】
１  ブッシング
３  下部碍管部（基端部）
５  取付フランジ部    ５ａ  ネジ挿入孔
１０  ブッシング保管容器
１１  本体部（容器本体）
１２  上面蓋（容器本体）
１４  取付孔
１５  雌ネジ部
１６  リブ
１８  内部空間
【図１】
2009214893.tif 000003
【図２】
2009214893.tif 000004
【図３】
2009214893.tif 000005
【図４】
2009214893.tif 000006
【図５】
2009214893.tif 000007
【図６】
2009214893.tif 000008